(57)【要約】【課題】猫の爪とぎは床置き型が多く、それを嫌いソファーや柱で爪とぎをする猫の爪研ぎ被害は、今日まで飼い主の悩みのたねであった。ソファー、柱、壁、床などへの猫の爪研ぎ習慣を、部屋の美観を損なわず、設置することでスムーズに一箇所に移行させる事が出来、なおかつ収納機能を兼ね備えた猫爪研ぎ付棚状家具を提供する。【解決手段】猫爪研ぎ付棚状家具本体１の側面や背面の少なくとも一面以上に、着脱自在な猫用爪研ぎマット２をとりつける。被害家具、例えばソファーや柱の近くに簡単に設置出来るため、誘導が簡単で、爪研ぎ移行に無理がかからない。また、猫爪研ぎ付棚状家具には猫が好む機能である閉塞空間５を設け、棚板は上下運動にも利用出来る事により、自然に猫の興味をひきやすく好んで使用する様になる。そのため迷惑な爪研ぎ行為をスムーズに１箇所に移行させる事が出来る。【選択図】図１
0003136813.tif 000002
【実用新案登録請求の範囲】
【請求項１】
棚板上に、猫の出入口を開口する少なくとも一個の閉塞空間を形成する棚の、少なくとも一側面に着脱自在の猫用爪研ぎマットを施して成る、猫爪研ぎ付棚状家具。
【考案の詳細な説明】
【技術分野】
【０００１】本考案は猫の習性を応用した爪研ぎマットと一体化させた棚状家具に関する。
【背景技術】
【０００２】市販の猫の爪とぎは床置き型が多い。垂直型を代表する爪研ぎとしては、天井突っ張り型の麻巻き柱である。
【考案の開示】
【考案が解決しようとする課題】
【０００３】しかしながら、床置き型爪研ぎの場合、体を垂直に伸ばして爪とぎをする猫の習性を満足させない。また、ほぼ寸法が一定で大型猫の体型には適応せず、ソファーをはじめとする、爪を立てやすい家具または、柱、畳、カーペットなど体が安定する場所で爪とぎをする猫が多い。特にソファーでの爪研ぎを習慣にする猫は多く、飼い主の長年の悩みでもある。張替え、修理、買い替えに苦労し、そのまま放置すると内部素材が露出し、猫が誤食する危険も生じる。従来の爪研ぎには立てかけ型もあるが固定が困難で猫の体重や爪研ぎの力に対応出来ないことが多い。壁接着型も壁面の材質によりはがれやすく強度に不安がある上、粘着成分が家具や壁を汚す場合もある。特にソファーをカバーする爪研ぎは見当たらない。解決策としては、猫の習性にあった別の爪研ぎ場所を用意することである。その場合天井突っ張り型麻巻き柱を利用して問題を解決する方法もあるが、天井の強度が不足で取付けが不可能だったり、部屋のスペースが確保出来ないことも問題である。また、爪研ぎ習慣の場所移行はできるだけ近い距離に移行用爪とぎを設置することが必要である。ソファーのすぐ横に天井突っ張り型麻巻き柱を設置できる可能性は低い。そこでこの考案は、設置が簡単で、部屋の美観を損なわず、収納棚としての機能も兼ね備え、なによりも猫の習性を利用した、爪とぎ被害から他の家具を守る移行用爪研ぎを施している棚状家具を提供することを課題とする。
【課題を解決するための手段】
【０００４】以上の課題を解決するために、請求項１の考案にあっては、着脱自在の猫用爪研ぎマットを少なくとも一側面に床面より見て垂直方向に一体的に施してなる事を特徴とし、棚板上に猫が好む出入口を開口する閉塞空間を備えた猫爪研ぎ付棚状家具である。
【考案の効果】
【０００５】請求項１、によれば猫の爪研ぎの力に耐える重量のある棚状家具の側面に床面より見て垂直に猫用爪研ぎマットを取り付けたことにより、安定感があり、一定の高さを確保すれば、大きな猫も好んで爪とぎをする。ソファーなどのそばに設置し易く、誘導が楽で、容易に爪とぎ習慣の移行が可能になる。猫用爪研ぎマットは両側面だけではなく裏面にも取り付け可能で、多頭飼いの場合も対応出来るため、経済的である。また本来の収納棚状家具としての機能をそこなわず、ソファー脇に設置して違和感が無い猫爪研ぎ付棚状家具である。【０００６】また猫の出入口としての穴を開けた側面と棚板との間に出来る仕切られた空間の前面に扉や、前板を付けたり、引き出しや箱を設置することにより、猫が習性として好む閉塞空間を確保することが出来、不意の来客や、雷・花火などの騒音時また災害時において、猫の避難場所としても有効に使用できる。同時に収納用の棚状家具としての機能も発揮することになる。また基本は棚を備えた家具であるため、猫爪研ぎ付棚状家具として不要となった時（猫の死亡後など）も廃棄することなく、収納用棚状家具としてそのまま使用できるため資源を無駄にせず、塵を増やすことが無い。
【考案を実施するための最良の形態】
【０００７】この考案の一実施形態１を、図１に示す。
実施形態１における猫爪研ぎ付棚状家具は基本的に前面が開放されており、二面の側面１と一枚以上の棚板７で構成された棚状家具である。また裏板６を接着し裏面を設置することも出来る。この本体１の側面、また裏面を設置した場合は裏面を含め少なくとも一面以上に猫用爪とぎマット２が床面から見て垂直方向に着脱自在な方法で付けられている。棚板で仕切ることで生じる下段空間の前面を、前板４で塞ぐことにより側面に開けられた猫の出入口３とつながった、閉塞空間５を備えている棚状家具である。【０００８】この考案の実施形態２を、図２に示す。
猫用爪研ぎ付棚状家具の側面９に着脱自在な爪研ぎマット１０を取り付ける。一側面に猫の出入口１１を開ける。猫出入口に関しては、図１の３の様に開放しているほうが猫にとって抵抗が少ないが、図２の１１に示す通り軸吊り扉を取り付ける事も出来る。
閉塞空間１７の上に棚板と引き出し１４を設置し、最上段に前面を開放した棚１５を設けることにより収納部分としての機能を充実させることが出来る。側面に開いた猫出入口１１につながる最下段の閉塞空間１７は猫の居住空間や避難空間として利用出来る。また閉塞空間１７の前面を前板で塞がず、図の様に前開き型扉用金具１６で前開き扉１２にすることにより、開口が広くなり、掃除が簡単で衛生的に使用出来る。また猫用爪研ぎマット１０の表面を緻密に織り上げた、猫の爪がかかりやすい厚手のカーペット状の繊維素材を使用し、裏面を滑り止め効果の高い素材、例えばゴムやポリウレタン樹脂で裏加工を施した上、金具留めにした場合は、摩擦により安定した接着力が生まれ、大型の猫の力にも剥がれることなく、なおかつ格段の耐久性も保持出来る様になる。
また側面９をスチール素材で構成すると、猫用爪研ぎマット１０の裏面をマグネット加工することにより、着脱がより簡単になる。底部にストッパー付キャスター１８を付けると移動も楽である。【０００９】この考案の実施形態３を図３に示す。
実施形態２は主にソファーでの爪研ぎからの移行を目的に、スペースをとらず機能を出来るだけ集約させた実施案であるが、この実施形態３は壁や床などからの爪研ぎ移行を主な目的とし、壁や床などある程度広い空間を保護しながら同時に爪研ぎ場所移行を達成する壁面収納型の猫爪研ぎ付棚状家具としての実施案である。この実施案は基本の猫爪研ぎ付棚状家具を大型にした物で、側面１９に着脱自在な爪研ぎマット２０を取り付け、側面に猫の出入口２１を設ける。その上で、開いた猫出入口につながる固定した閉塞空間２２を設置する。この空間の前板を前開き扉にすることも出来る。その上で猫出入口が一箇所以上、空気穴兼指掛け穴が一箇所開いている収納箱２３で収納部分を構成した案である。収納箱は図４に示すような立方体でその一面は開放されており、他の５面には、少なくとも一箇所以上の猫出入口２８があいており、他の一面に指掛け穴兼用の空気穴２７が開いている収納箱である。図３に示された実施形態３は棚全体の寸法が大きくなるため、猫が入る大きさの収納箱２３の複数組み合わせが可能である。そのため高さが高く棚板の枚数が増えても実施形態２における引き出し収納や閉塞空間を収納箱２３の組み合わせにより簡単に複数再現することが出来る。収納箱２３は上面、側面、底面何れかを正面にすることにより、引き出しに代わる収納空間になったり、猫用の閉塞空間になったりする。また、収納箱を取り外すことにより棚としてしての部分を広く利用することが可能である。棚状家具本体の大きさと、収納箱２３の寸法、数量の組み合わせにより、猫の大きさや頭数に合った猫爪研ぎ付棚状家具を製作する事も出来る。また、各棚板に少なくとも一箇所以上の穴状出入口２５をあけることにより、棚板２４と収納箱２３を穴で連結させることが出来、猫が下段から上段まで自由に移動して遊ぶことが出来る。また壁面に設置する場合、裏面に背板を付けず、壁を背板代わりに利用することも出来る。【００１０】この考案の実施形態３を示す図３に示された猫用爪研ぎ付棚状家具を構成する収納箱２３の詳細を図４に示す。【００１１】猫爪研ぎ付棚状家具は、猫の迷惑な爪研ぎ習慣の場所移動を第一目的とする猫用爪研ぎマットを、少なくとも一側面に床面から見て垂直方向に取り付けた棚状家具である。その本体に上記の実施案による、前開き扉や、穴あき収納箱を設置し、同時に猫の出入口を作ることにより猫が好む閉塞空間が出来る。図１、図２の実施形態では機能を集約しており、コンパクトに設置できる。図３の実施形態３の場合は閉塞空間ともなる穴あきの収納箱と組み合わされた棚そのものが、内部で上下移動可能な運動通路ともなるため、ごく自然に猫の興味を引き、爪研ぎ場所移行の誘導が容易になる。どの実施案も一台で複数の爪研ぎを取り付ける事が可能であり、多頭飼いの場合も一台で対応出来るため、経済的である。また引き出しや、収納箱、棚スペースを確保することにより収納棚家具としても機能的に利用出来る。爪研ぎマット以外は猫用品としての特徴が際立たたず、部屋に違和感を与えないため、美観を損ねない。
【図面の簡単な説明】
【００１２】
【図１】請求項１の実施形態１を示す斜視図である。
【図２】請求項１の実施形態２を示す斜視図である。
【図３】請求項１の実施形態３を示す斜視図である。
【図４】図３を構成する収納箱の全体を示す斜視図である。
【符号の説明】
【００１３】  １  猫爪研ぎ付棚状家具実施形態１の本体側面
２  本体側面に取り付けられた着脱自在な猫用爪研ぎマット
３  猫出入口
４  閉塞空間を構成する前板
５  閉塞空間
６  背面板
７  棚板
８  収納空間
９  猫爪研ぎ付棚状家具実施案２の本体側面
１０  猫用爪研ぎマット
１１  猫出入口（軸吊り扉）
１２  前開き扉
１３  空気穴
１４  引き出し
１５  棚空間
１６  前開き扉用金具
１７  閉塞空間
１８  ストッパー付キャスター
１９  猫用爪研ぎ付棚状家具実施形態３の本体側面
２０  猫用爪研ぎマット
２１  猫出入口
２２  閉塞空間
２３  収納箱
２４  棚板
２５  棚板に開いた猫出入口
２６  収納箱本体
２７  指掛け穴兼用空気穴
２８  連結用猫出入口
【図１】
0003136813.tif 000003
【図２】
0003136813.tif 000004
【図３】
0003136813.tif 000005
【図４】
0003136813.tif 000006